(57)【要約】【課題】投射型表示装置等に用いるのに好適な高輝度且つ集光効率の高い光源を、ＬＥＤを用いて実現する。【解決手段】内部を光が通過可能にされた棒状部材２のうち、一端２ａを光の出射部とするとともに、この一端２ａ以外の面の内側を光の反射面２ｂとし、この反射面２ｂ上に複数個の発光ダイオード３を棒状部材２の長手方向に沿って配置することにより、光源装置１を構成する。【選択図】　　　　　　図４
2004063335.tif 000002
【特許請求の範囲】
【請求項１】
内部を光が通過可能にされた棒状部材のうち、一端が光の出射部とされるとともに、前記一端以外の面の内側が光の反射面とされており、前記反射面上に、複数個の発光ダイオードが前記棒状部材の長手方向に沿って配置されていることを特徴とする光源装置。
【請求項２】
請求項１に記載の光源装置において、
前記発光ダイオードが略等間隔に配置され、且つ、前記発光ダイオードのうち前記出射部とは反対側の前記棒状部材の端面に最も近い発光ダイオードと該端面と距離が前記発光ダイオード同士の間隔の略半分になっていることを特徴とする光源装置。
【請求項３】
光源からの光を光変調素子に照射し、映像信号に応じて前記光変調素子で変調した光を投射レンズから投射するようにした投射型表示装置において、
前記光源は、
内部を光が通過可能にされた棒状部材のうち、一端が光の出射部とされるとともに、前記一端以外の面の内側が光の反射面とされており、前記反射面上に、複数個の発光ダイオードが前記棒状部材の長手方向に沿って配置されて成っていることを特徴とする投射型表示装置。
【請求項４】
請求項３に記載の投射型表示装置において、
前記発光ダイオードが略等間隔に配置され、且つ、前記発光ダイオードのうち前記出射部とは反対側の前記棒状部材の端面に最も近い発光ダイオードと該端面と距離が前記発光ダイオード同士の間隔の略半分になっていることを特徴とする投射型表示装置。
【発明の詳細な説明】
【０００１】
【発明の属する技術分野】
本発明は、投射型表示装置等に光源として用いるのに好適な光源装置や、この光源装置を光源として用いた投射型表示装置に関する。
【０００２】
【従来の技術】
光源からの光を液晶パネルに照射し、映像信号に応じて液晶パネルで変調した光を投射レンズから投射するようにした液晶プロジェクタが、大画面の映像表示装置として普及している。
【０００３】
Ｒ（赤），Ｇ（緑），Ｂ（青）の各色に対応して３枚の液晶パネルを設けた３板式液晶プロジェクタでは、光源からの光が、ダイクロイックミラー等でＲ，Ｇ，Ｂの各色の光に分離されて、それぞれの色に対応する液晶パネルに照射される。
【０００４】
また、液晶パネルを１枚だけ設けた単板式液晶プロジェクタでは、光源から液晶パネルに照射された光が、液晶パネルに貼付されたカラーフィルタによってＲ，Ｇ，Ｂの各色の光に分離される。
【０００５】
従来、この液晶プロジェクタの光源には、超高圧水銀ランプを用いることが主流になっていた。図１は、超高圧水銀ランプの発光スペクトル分布を示す図である。超高圧水銀ランプの発光スペクトルは４００〜４８０ｎｍ，４９０〜５５０ｎｍの波長域にそれぞれエネルギーピークがあり、４００〜４８０ｎｍの波長域の光は青色光として利用され、４９０〜５５０ｎｍの波長域の光が緑色光として利用される。また、６２０〜７００ｎｍの波長域の光が赤色光として利用される。
【０００６】
【発明が解決しようとする課題】
しかし、この従来の液晶プロジェクタには、次の（ａ）や（ｂ）のような問題があった。
【０００７】
（ａ）図１にも表れているように、超高圧水銀ランプは、赤色光成分の強度が緑色光成分や青色光成分と比較して相対的に弱い。したがって、そのままでは、液晶プロジェクタから投影される映像は、ホワイトバランスが緑色や青色の方向に偏ってしまう。そのため、ホワイトバランスを確保するために緑色光成分や青色光成分を大幅にカットせざるを得ず、その結果、十分な明るさの映像を表示できなくなってしまう。
【０００８】
（ｂ）超高圧水銀ランプの寿命は、比較的短く１０００〜２０００時間程度である。そのため、光源を交換するメンテナンスを、比較的頻繁に行わなければならない。
【０００９】
なお、従来の液晶プロジェクタとしては光源にメタルハライドランプを用いたものも存在しているが、そうした液晶プロジェクタでも、上記（ａ）や（ｂ）のような問題があることは同様であった。
【００１０】
こうした色成分の強度の不均一による映像の明るさの不足の問題や寿命の問題を解消する一つの方法としては、超高圧水銀ランプやメタルハライドランプのような放電ランプではなく、ＬＥＤ（発光ダイオード）を液晶プロジェクタの光源に用いることが考えられる。
【００１１】
すなわち、ＬＥＤは、近年青色ＬＥＤが実用化されたことによりＲ，Ｇ，Ｂの各色の光をそれぞれ任意の強度で得られるようになっているとともに、連続数万時間の点滅が可能であるなど寿命もかなり長い。
【００１２】
但し、ＬＥＤは、単位面積あたりの発光強度が放電ランプよりもかなり小さい。そのため、高輝度な光源を実現するためには多数個のＬＥＤを用いることが必要になる。
【００１３】
そして、液晶プロジェクタのような投射型表示装置の光源に要求される特性の一つに“発光面積が極力狭い光源であること（点光源に近いこと）”が挙げられるので、多数個のＬＥＤを用いる場合には各ＬＥＤからの光を効率的に集光することが重要になる。
【００１４】
例えば、特開２０００−１１２０３１号公報には、図２に示すように、複数のＬＥＤ１０１を２次元的に配列したＬＥＤアレイ１０２からの光を、ＬＥＤアレイ１０２の面積と同じ大きさの断面積を有する中空の導光路ブロック１０３で反射させて、この導光路ブロック１０３の断面から出射させるようにした光源装置が開示されている。
【００１５】
しかし、この光源装置では、発光面積（導光路ブロック１０３の断面積）がＬＥＤアレイ１０２の面積と同じであることから、輝度を高めるためにＬＥＤ１０１の個数を多くすると発光面積がかなり広くなってしまう。したがって、多数個のＬＥＤからの光を効率的に集光することはできない。
【００１６】
本発明は、上述の点に鑑み、投射型表示装置等に用いるのに好適な高輝度且つ集光効率の高い光源を、ＬＥＤを用いて実現することを課題としてなされたものである。
【００１７】
【課題を解決するための手段】
この課題を解決するために、本出願人は、内部を光が通過可能にされた棒状部材のうち、一端が光の出射部とされるとともに、この一端以外の面の内側が光の反射面とされており、この反射面上に、複数個の発光ダイオードがこの棒状部材の長手方向に沿って配置されている光源装置を提案する。
【００１８】
この光源装置では、内部を光が通過可能にされた棒状部材のうち、一端が光の出射部とされ、残りの面の内側が光の反射面とされている。そして、この反射面上に、複数個のＬＥＤがこの棒状部材の長手方向に沿って配置されている。
【００１９】
これらのＬＥＤから発散した光束は、この棒状部材の内部を通過し、この棒状部材の反射面での反射を繰り返した後、最終的にこの棒状部材の出射部から出射する。
【００２０】
このように、この光源装置では、複数個のＬＥＤからの光が全て一本の棒状部材の一端から出射する（すなわちこの棒状部材の一端の面積が発光面積になる）。この発光面積は、棒状部材として細い部材を用いることにより、十分狭くすることができる。また、輝度を高めるためにＬＥＤの個数を多くしても、この発光面積が変化することはない。
【００２１】
これにより、投射型表示装置等に用いるのに好適な高輝度且つ集光効率の高い（点光源に近い）光源が、ＬＥＤを用いて実現される。
【００２２】
なお、この光源装置において、一例として、ＬＥＤを略等間隔に配置し、且つ、出射部とは反対側の棒状部材の端面に最も近いＬＥＤとその端面と距離をＬＥＤ同士の間隔の略半分にすることが好適である。
【００２３】
その理由は、次のとおりである。ＬＥＤから発散した光束は、前述のように反射面で反射を繰り返して出射部から出射するが、反射面上のＬＥＤに到達した場合には、そこで吸収されてしまうので出射部から出射しなくなる。したがって、光の利用効率を高めるためには、この光源装置内部（棒状部材内）での光の吸収によるロスを少なくすることが重要になる。
【００２４】
そして、ＬＥＤを等間隔で配置することにより、ＬＥＤからの光束が別のＬＥＤに吸収されたことによる影が、さらに別のＬＥＤと重なるようになる。
【００２５】
また、出射部とは反対側の棒状部材の端面に最も近いＬＥＤとその端面と距離をＬＥＤ同士の間隔の略半分にすることにより、ＬＥＤからの光束がこの端面で反射した後別のＬＥＤに吸収されたことによる影も、さらに別のＬＥＤと重なるようになる。
【００２６】
このように、光束がＬＥＤに吸収されたことによる影が別のＬＥＤと重なることにより、この重なったＬＥＤ以降はロスにならないので、光の吸収によるロスを最小限に抑えて、光の利用効率を高めることができるようになる。
【００２７】
次に、本出願人は、光源からの光を光変調素子に照射し、映像信号に応じてこの光変調素子で変調した光を投射レンズから投射するようにした投射型表示装置において、この光源は、内部を光が通過可能にされた棒状部材のうち、一端が光の出射部とされるとともに、この一端以外の面の内側が光の反射面とされており、この反射面上に、複数個の発光ダイオードがこの棒状部材の長手方向に沿って配置されて成っている投射型表示装置を提案する。
【００２８】
この投射型表示装置は、前述の本発明に係る光源装置を光源として用いたものである。したがって、光源を高輝度且つ点光源に近いものにすることができ、且つ、Ｒ，Ｇ，Ｂの各色の光をそれぞれ任意の強度で得られるのでホワイトバランスを確保しても十分な明るさの映像を表示することができ、且つ、光源を交換するメンテナンスの頻度が少なくて済むようになる。
【００２９】
なお、この投射型表示装置においても、一例として、やはり、ＬＥＤを略等間隔に配置し、且つ、出射部とは反対側の棒状部材の端面に最も近いＬＥＤとその端面と距離をＬＥＤ同士の間隔の略半分にすることが好適である。
【００３０】
それにより、光源内部での光の吸収によるロスを最小限に抑えて、投射型表示装置全体としての光の利用効率を高めることができるようになる。
【００３１】
【発明の実施の形態】
以下、本発明を図面を用いて具体的に説明する。
図３は、本発明に係る光源装置の外観構成例を示す斜視図である。この光源装置１は、細長い四角柱状の部材であるロッド２を用いて構成されている。ロッド２は、中空であるとともに、一端が開口２ａになっている。開口２ａの寸法は、一辺が約２ｍｍである。
【００３２】
図４は、この光源装置１の内部構造を示す断面図である。ロッド２の内側の面は、銀またはアルミニウム等が蒸着された鏡面２ｂになっている。この鏡面２ｂのうち、ロッド２の長手方向の４つの側面の上には、それぞれ１０個ずつのＬＥＤ３が等しい間隔ｐで配置されている（図では、この４つの側面のうちの２つの側面に配置されたＬＥＤ３のみを描いている）。開口２ａとは反対側の端面に最も近いＬＥＤ３からこの端面までの距離は、ＬＥＤ３同士の間隔ｐの半分であるｐ／２になっている。
【００３３】
図５は、図４のうちのＬＥＤ３の配置箇所の部分の拡大図である。鏡面２ｂ上にＬＥＤチップ３ａが接着剤で貼り付けられており、ＬＥＤチップ３ａをドライブ回路（図示略）と接続するリード線３ｂ，３ｃが、それぞれロッド２の側面を貫通している。なお、図３や図４では、このリード線３ｂ，３ｃの図示は省略している。
【００３４】
この光源装置１から光が出射する様子は、次の通りである。各ＬＥＤ３を一斉に点灯させると、各ＬＥＤ３から発散した光束が、ロッド２の中空の内部を通過し、鏡面２ｂで反射を繰り返した後、最終的に開口２ａから出射する。図６は、各ＬＥＤ３のうち開口２ａに最も近いＬＥＤ３（１）を例にとって、開口２ａとは反対方向に向かう光束がこうした反射を繰り返して開口２ａから出射する様子を示している。
【００３５】
このように、この光源装置１では、合計４０個のＬＥＤ３からの光が、全てロッド２の一端の開口２ａから出射する（すなわちこのロッド２の開口２ａの面積が発光面積になる）。そして、開口２ａの寸法は前述のように一辺が約２ｍｍなので、この発光面積は十分狭くなっている。また、ここでは４０個のＬＥＤ３を用いているが、輝度をより一層高めるためにＬＥＤ３の個数を４０個よりも多くしても、この発光面積が変化することはない。
【００３６】
これにより、投射型表示装置等に用いるのに好適な高輝度且つ集光効率の高い（点光源に近い）光源が、ＬＥＤを用いて実現されている。
【００３７】
さらに、この光源装置１では、次のような理由から、光の利用効率が高くなっている。すなわち、ＬＥＤ３から発散した光束は、前述のように鏡面２ｂで反射を繰り返して開口２ａから出射するが、鏡面２ｂ上のＬＥＤ３に到達した場合には、そこで吸収されてしまうので開口２ａから出射しなくなる。したがって、光の利用効率を高めるためには、この光源装置１の内部（ロッド２内）での光の吸収によるロスを少なくすることが重要になる。
【００３８】
ここで、仮にＬＥＤ３の配置間隔が等しくないとすると、図７に示すように、或るＬＥＤ３（２）からの光束が別のＬＥＤ３（３）に吸収されたことによる影が鏡面２ｂ上に出現するので、光の吸収によるロスが多くなってしまう。
【００３９】
これに対し、この光源装置１では、ＬＥＤ３が等間隔ｐで配置されているので、図８に示すように、或るＬＥＤ３（２）からの光束が別のＬＥＤ３（３）に吸収されたことによる影が、さらに別のＬＥＤ３（４）と重なるようになる。
【００４０】
また、開口２ａとは反対側のロッド２の端面（鏡面２ｂ）に最も近いＬＥＤ３とその端面との距離がＬＥＤ同士の間隔ｐの半分のｐ／２なので、図９に示すように、或るＬＥＤ３（５）からの光束がこの端面で反射した後別のＬＥＤ３（６）に吸収されたことによる影も、さらに別のＬＥＤ３（７）と重なるようになる。
【００４１】
このように、光束がＬＥＤ３に吸収されたことによる影が別のＬＥＤ３と重なることにより、この重なったＬＥＤ３以降はロスにならないので、光の吸収によるロスが最小限に抑えられる。したがって、光の利用効率が高くなっている。
【００４２】
次に、図１０は、本発明に係る３板式液晶プロジェクタの光学系の構成例を示す図である。この３板式液晶プロジェクタには、光源として、光源装置１（Ｒ），光源装置１（Ｇ）及び光源装置１（Ｂ）を設けられている。
【００４３】
各光源装置１（Ｒ），１（Ｇ），１（Ｂ）は、それぞれ図３〜図５に示した光源装置１と同じ構成のものであるが、ＬＥＤ３としてそれぞれ赤色ＬＥＤ，緑色ＬＥＤ，青色ＬＥＤを用いている。（図ではこれらの光源装置を図４のような断面図で描いているが、図示の都合上ＬＥＤは実際の個数である１０個よりも少なく描いている。後出の図１１〜図１４でも同様である。）
【００４４】
なお、これらの赤色ＬＥＤ，緑色ＬＥＤ，青色ＬＥＤの発光強度が互いに異なる場合には、光源装置１（Ｒ），１（Ｇ），１（Ｂ）から出射する赤色光，緑色光，青色光の強度が互いに略等しくなるように、各光源装置１（Ｒ），１（Ｇ），１（Ｂ）のＬＥＤの個数を調整するものとする（例えば、緑色ＬＥＤや青色ＬＥＤの発光強度が赤色ＬＥＤよりも小さい場合には、光源装置１（Ｇ），１（Ｂ）のＬＥＤの個数を光源装置１（Ｒ）よりも多くする）。
【００４５】
図１０のように、各光源装置１（Ｒ），１（Ｇ），１（Ｂ）から出射した赤色光，緑色光，青色光は、集光レンズ４（Ｒ），４（Ｇ），４（Ｂ）でそれぞれ平行光にされて、赤色光，緑色光，青色光に対応する液晶パネル５（Ｒ），５（Ｇ），５（Ｂ）にそれぞれ照射される。
【００４６】
そして、液晶パネル５（Ｒ），５（Ｇ），５（Ｂ）でそれぞれＲ，Ｇ，Ｂの映像信号に応じて変調された赤色光，緑色光，青色光が、ダイクロイックプリズム６で合成され、投射レンズ７から外部に出射される。
【００４７】
この３板式液晶プロジェクタでは、光源である光源装置１（Ｒ），１（Ｇ），１（Ｂ）がそれぞれ高輝度且つ点光源に近いものになっており、且つ、赤色光，緑色光，青色光の強度が互いに等しいのでホワイトバランスを確保しても十分な明るさの映像を表示することができ、且つ、ＬＥＤは長寿命なので光源を交換するメンテナンスの頻度が少なくて済むようになっている。
【００４８】
さらに、図７〜図９を用いて説明したように光源装置１（Ｒ），１（Ｇ），１（Ｂ）の内部での光の吸収によるロスを最小限に抑えられるので、液晶プロジェクタ全体としての光の利用効率を高めることができるようになっている。
【００４９】
次に、図１１は、本発明に係る単板式液晶プロジェクタの光学系の構成例を示す図である。この単板式液晶プロジェクタには、光源として、図３〜図５に示した構成の光源装置１が設けられている。ここでは、光源装置１では、ＬＥＤ３として白色ＬＥＤを用いている。（あるいは別の例として、赤色ＬＥＤ，緑色ＬＥＤ，青色ＬＥＤを、光源装置１から出射する赤色光，緑色光，青色光の強度が互いに略等しくなるような個数ずつ用いてもよい。）
【００５０】
光源装置１から出射した光は、集光レンズ８で平行光にされ、液晶パネル９に照射されて、液晶パネル９に貼付されたカラーフィルタによって赤色光，緑色光，青色光に分離される。
【００５１】
そして、液晶パネル９でＲ，Ｇ，Ｂの映像信号に応じて変調された赤色光，緑色光，青色光が、投射レンズ１０から外部に出射される。
【００５２】
この単板式液晶プロジェクタでも、やはり、光源が高輝度且つ点光源に近いものになっており、且つ、ホワイトバランスを確保しても十分な明るさの映像を表示することができ、且つ、光源を交換するメンテナンスの頻度が少なくて済み、且つ、液晶プロジェクタ全体としての光の利用効率を高めることができるようになっている。
【００５３】
なお、図１０，図１１の例では光源装置からの出射光を集光レンズで平行光にしているが、別の例として、光源装置からの出射光を、リフレクタで反射することによって平行光にしてもよい。図１２は、図１１の単板式液晶プロジェクタについてこのような構成を採用した例を示す図であり、図１１と共通する部分には同一符号を付している、光源装置１からの出射光が、リフレクタ１１で平行光にされて液晶パネル９に照射される。
【００５４】
また、このように光源装置からの出射光をリフレクタで反射する場合において、リフレクタから液晶パネルまでの距離をあまり長くとれない場合には、図１３に例示するように、光源装置１のロッド２を、先端（開口２ａのほうの端部）を１８０°湾曲させるようにして延ばした形状にし、ロッド２の本体（ＬＥＤ３を配置している部分）をリフレクタ１１の側方に位置させるようにしてもよい。
【００５５】
また、図１０の例では赤色光，緑色光，青色光を全て本発明に係る光源装置によって得ているが、別の例として、緑色光，青色光のほうは超高圧水銀ランプやメタルハライドランプによって得て、こうした放電ランプでは強度の弱い赤色光だけを本発明に係る光源装置によって得るようにしてもよい。
【００５６】
図１４は、このような構成を採用した３板式液晶プロジェクタの光学系の例を示す図であり、図１０と共通する部分には同一符号を付している。超高圧水銀ランプ２１から出射した光が、リフレクタ２２で反射されることにより平行光にされて偏光変換素子２３に入射する。偏光変換素子２３は入射光を全てＰ偏光に変換する素子であり、偏光変換素子２３から出射したＰ偏光はＰＳ分離合成素子２４に入射する。
【００５７】
他方、光源装置１（Ｒ）から出射した赤色光が、集光レンズ４（Ｒ）で平行光にされて偏光変換素子２５に入射する。偏光変換素子２５は入射光を全てＳ偏光に変換する素子であり、偏光変換素子２５から出射したＳ偏光もＰＳ分離合成素子２４に入射する。
【００５８】
偏光変換素子２３からのＰ偏光と偏光変換素子２５からのＳ偏光とは、ＰＳ分離合成素子２４で合成されて、偏光回転素子２６に入射する。
【００５９】
偏光回転素子２６は、赤色の波長帯域の光については偏光方向を９０°変化させ、それ以外の波長帯域の光はそのまま通過させる素子である。この偏光回転素子２６により、偏光変換素子２３からのＰ偏光（超高圧水銀ランプ２１からの光）のうちの赤色光はＳ偏光に変換され、偏光変換素子２５からのＳ偏光（光源装置１（Ｒ）からの赤色光）はＰ偏光に変換される。
【００６０】
偏光回転素子２６から出射した光は、Ｐ偏光のみを通過させる偏光板２７に入射する。超高圧水銀ランプ２１からの光のうちの赤色光（Ｓ偏光）は、この偏光板２７で遮断される。
【００６１】
偏光板２７から出射した光（超高圧水銀ランプ２１からの緑色光，青色光と光源装置１（Ｒ）からの赤色光）のうちの赤色光は、ダイクロイックミラー２８で反射され、ミラー２９で反射されて液晶パネル５（Ｒ）に照射される。
【００６２】
また、偏光板２７からの出射光のうちの緑色光は、ダイクロイックミラー２８を透過し、ダイクロイックミラー３０で反射されて液晶パネル５（Ｇ）に照射される。
【００６３】
また、偏光板２７からの出射光のうちの青色光は、ダイクロイックミラー２８，３０をそれぞれ透過し、ミラー３１，３２でそれぞれで反射されて液晶パネル５（Ｂ）に照射される。
【００６４】
この３板式液晶プロジェクタでは、超高圧水銀ランプ２１からの光のうちの強度の弱い赤色光成分を光源装置１（Ｒ）の赤色ＬＥＤからの光で置き換えることにより、ホワイトバランスを確保しても十分な明るさの映像を表示することができるようになる。
【００６５】
また、以上の例では四角柱状のロッド２を用いて光源装置１を構成しているが、別の例として、四角柱以外の多角柱（三角柱や五角柱等）の形状のロッドや、あるいは円柱形状のロッドを用いるようにしてもよい。
【００６６】
また、以上の例では中空であるとともに一端が開口になったロッド２を用いて光源装置１を構成しているが、別の例として、中の詰まったガラス棒から成るロッドを用いるようにしてもよい。その場合には、例えば図１５に示すように、このガラス棒４１の長手方向に沿った各側面に、ＬＥＤを配置するための複数の窪み４１ａを設け、この窪み４１ａの部分をマスキングした状態でガラス棒４１の一方の端面４１ｂ以外の面に銀またはアルミニウム等を蒸着した（これらの面を鏡面にした）後、窪み４１ａにＬＥＤを埋め込むようにして配置すればよい。
【００６７】
また、以上の例では液晶プロジェクタに本発明を適用しているが、液晶プロジェクタ以外の投射型表示装置（例えば空間光変調素子としてＤＭＤ（デジタルミラーデバイス）を用いたものなど）にも本発明を適用してよい。
【００６８】
また、本発明は、以上の例に限らず、本発明の要旨を逸脱することなく、その他様々の構成をとりうることはもちろんである。
【００６９】
【発明の効果】
以上のように、本発明に係る光源装置によれば、投射型表示装置等に用いるのに好適な高輝度且つ集光効率の高い（点光源に近い）光源を、ＬＥＤを用いて実現できるという効果が得られる。
【００７０】
また、光源装置内部での光の吸収によるロスを最小限に抑えて、光の利用効率を高めることができるという効果も得られる。
【００７１】
次に、本発明に係る投射型表示装置によれば、光源を高輝度且つ点光源に近いものにできるという効果や、ホワイトバランスを確保しても十分な明るさの映像を表示することができるという効果や、光源を交換するメンテナンスの頻度が少なくて済むという効果が得られる。
【００７２】
また、光源内部での光の吸収によるロスを最小限に抑えて、投射型表示装置全体としての光の利用効率を高めることができるという効果も得られる。
【図面の簡単な説明】
【図１】超高圧水銀ランプの発光スペクトル分布を示す図である。
【図２】ＬＥＤを用いた既存の光源装置を示す図である。
【図３】本発明に係る光源装置の外観構成例を示す斜視図である。
【図４】本発明に係る光源装置の内部構造を示す断面図である。
【図５】図４の部分的拡大図である。
【図６】本発明に係る光源装置から光が出射する様子を示す図である。
【図７】ＬＥＤでの光束の吸収によるロスの説明図である。
【図８】ＬＥＤでの光束の吸収によるロスの説明図である。
【図９】ＬＥＤでの光束の吸収によるロスの説明図である。
【図１０】本発明に係る３板式液晶プロジェクタの光学系の構成例を示す図である。
【図１１】本発明に係る単板式液晶プロジェクタの光学系の構成例を示す図である。
【図１２】図１１の光学系の構成の変更例を示す図である。
【図１３】図１２の光学系の構成の変更例を示す図である。
【図１４】図１０の光学系の構成の変更例を示す図である。
【図１５】ロッドの素材の変更例を示す図である。
【符号の説明】
１，１（Ｒ），１（Ｇ），１（Ｂ）光源装置、　２　ロッド、　２ａ　ロッドの開口、　２ｂ　鏡面、　３，３（１）〜３（７）　ＬＥＤ、　４（Ｒ），４（Ｇ），４（Ｂ），８　集光レンズ、　５（Ｒ），（Ｇ），（Ｂ），９　液晶パネ　　ル、　１０　リフレクタ
【図１】
2004063335.tif 000003
【図２】
2004063335.tif 000004
【図３】
2004063335.tif 000005
【図４】
2004063335.tif 000006
【図５】
2004063335.tif 000007
【図６】
2004063335.tif 000008
【図７】
2004063335.tif 000009
【図８】
2004063335.tif 000010
【図９】
2004063335.tif 000011
【図１０】
2004063335.tif 000012
【図１１】
2004063335.tif 000013
【図１２】
2004063335.tif 000014
【図１３】
2004063335.tif 000015
【図１４】
2004063335.tif 000016
【図１５】
2004063335.tif 000017